(57)【要約】  マルチビュー診断システムは、ＯＣＴエンジンと、ＯＣＴエンジンと眼科目標物との間に複数のビーム経路を画定する複数の光学素子と、を含み、各ビーム経路は眼科目標物の異なる視野角に対応する。システムはまた、ＯＣＴエンジンにより生成されたＯＣＴ結像ビームをそれぞれの各ビーム経路に沿って眼科目標物へと向けるためのスキャナも含む。メモリに記憶される命令は、プロセッサにより、眼科目標物の特性を眼科目標物によりそれぞれの各ビーム経路に沿って反射され、ＯＣＴエンジンにより検出されたＯＣＴ光に基づいて特定するために実行可能である。
2021507731.tif 000002
【特許請求の範囲】
【請求項１】
マルチビュー診断システムであって、
ＯＣＴエンジンと、
前記ＯＣＴエンジンと眼科目標物との間に複数のビーム経路を画定する複数の光学素子であって、各ビーム経路は前記眼科目標物の異なる視野角に対応する、複数の光学素子と、
前記ＯＣＴエンジンにより生成されたＯＣＴ結像ビームをそれぞれの各ビーム経路に沿って前記眼科目標物へと向けるように構成されたスキャナと、
プロセッサ及び、メモリ内に記憶された命令であって、前記命令は前記プロセッサにより、前記眼科目標物の特性を前記眼科目標物によりそれぞれの各ビーム経路に沿って反射され、前記ＯＣＴエンジンにより検出されるＯＣＴ光に基づいて特定するために実行可能である、プロセッサ及び命令と、
を含むマルチビュー診断システム。
【請求項２】
前記命令はさらに、前記眼科目標物の角膜、眼房水、水晶体、又は硝子体液のうちの少なくとも１つの屈折率を、前記眼科目標物によりそれぞれの各ビーム経路に沿って反射された前記検出ＯＣＴ光に基づいて特定するために実行可能である、請求項１に記載のシステム。
【請求項３】
前記命令はさらに、前記眼科目標物の３次元モデルを前記検出ＯＣＴ光に基づいて生成するために実行可能である、請求項１に記載のシステム。
【請求項４】
前記複数のビーム経路は、前記眼科目標物内で収束し、交差する少なくとも２つのビーム経路を含む、請求項１に記載のシステム。
【請求項５】
前記命令はさらに、レイトレーシング分析を行うために実行可能であり、前記レイトレーシング分析は、第一又は第二プルキニエ像レイトレーシング分析を含む、請求項１に記載のシステム。
【請求項６】
前記スキャナは、前記ＯＣＴ結像ビームを選択的に前記ビーム経路のうちの１つに沿って方向付ける１つ又は複数の操作可能ミラーを含む、請求項１に記載のシステム。
【請求項７】
前記ＯＣＴエンジンと光学的に整列されたビームスプリッタと、前記ビームスプリッタと光学的に整列されたカメラと、をさらに含み、前記カメラは、前記眼科目標物によりそれぞれの各ビーム経路に沿って反射された照明光を受け取るように構成され、前記命令はさらに、前記眼科目標物の角膜の特性を、前記眼科目標物によりそれぞれの各ビーム経路に沿って反射された前記照明光に基づいて特定するために実行可能である、請求項１に記載のシステム。
【請求項８】
前記角膜の前記特定された特性は角膜前面曲率又は角膜後面曲率を含む、請求項７に記載のシステム。
【請求項９】
前記照明光を発するように構成された照明光源をさらに含み、前記照明光源は、１つ又は複数の同心円パターンに配置された複数の照明点光源を含む、請求項７に記載のシステム。
【請求項１０】
前記命令はさらに、光学的な眼内レンズ（ＩＯＬ）プロファイルをレイトレーシング分析及び前記検出ＯＣＴ光に基づいて特定するために実行可能である、請求項７に記載のシステム。
【請求項１１】
前記ＩＯＬプロファイルは、パワー、形状、又は前記眼科目標物内の前記ＩＯＬの位置を含む、請求項１０に記載のシステム。
【請求項１２】
複数のＯＣＴ結像ビームをそれぞれのビーム経路に沿って眼科目標物へと向けるステップであって、各ビーム経路は複数の光学素子により画定され、前記眼科目標物の異なる視野角に対応するステップと、
前記ビーム経路の各々に沿って、前記眼科目標物からの反射ＯＣＴ光を受け取るステップと、
前記眼科目標物の１つ又は複数の特性を、前記眼科目標物によりそれぞれの各ビーム経路に沿って反射された前記検出ＯＣＴ光に基づいて特定するステップと、
を含む方法。
【請求項１３】
前記ＯＣＴ結像ビームを複数のビーム経路に沿って方向付けるステップは、
第一のＯＣＴ結像ビームを第一のビーム経路に沿って前記眼科目標物へと向けるステップであって、前記第一のビーム経路は前記眼科目標物の光軸及び視軸のうちの１つに対応するステップと、
第二のＯＣＴ結像ビームを静止ミラーの集合により画定される第二のビーム経路に沿って前記眼科目標物へと向けるステップであって、前記第二のビーム経路は前記眼科目標物内で前記第一のビーム経路と鋭角で交差するステップと、
を含む、請求項１２に記載の方法。
【請求項１４】
複数の照明点光源により、照明光を眼科目標物に向かって発するステップと、
前記眼科目標物から前記ビーム経路の各々に沿って反射された照明光を受け取るステップと、
前記反射された照明光に基づいてレイトレーシング分析を実行するステップと、
前記レイトレーシング分析に基づいて前記眼科目標物の特性を特定するステップと、
を含む、請求項１２に記載の方法。
【請求項１５】
前記眼科目標物の前記特定された特性は角膜前面曲率又は角膜後面曲率を含む、請求項１４に記載の方法。
【発明の詳細な説明】
【技術分野】
【０００１】
本開示は眼科システム、より詳しくはマルチビュー眼科診断システムに関する。
【背景技術】
【０００２】
光干渉断層撮影法（ＯＣＴ：ｏｐｔｉｃａｌ  ｃｏｈｅｒｅｎｃｅ  ｔｏｍｏｇａｐｈｙ）は、眼科学を含む生物医学の分野で広く採用されているイメージング技術である。ＯＣＴシステムは、半透明の検体（生物組織等）内の高解像度断層イメージングを、反射光のエコー時間遅延を測定することによって行う。ＯＣＴは眼科診断システムにおいて、白内障及び／又は角膜屈折矯正手術の裏付けのための術前診断において、さらには正確な眼の切開及び／又は硝子体液等の眼組織の除去により、眼科手術を行う医師を支援するために使用され得る。
【発明の概要】
【課題を解決するための手段】
【０００３】
特定の実施形態において、マルチビュー診断システムは、ＯＣＴエンジンと、ＯＣＴエンジンと眼科目標物との間に複数のビーム経路を画定する複数の光学素子と、を含み、各ビーム経路は眼科目標物の異なる視野角に対応する。システムはまた、ＯＣＴエンジンにより生成されたＯＣＴ結像ビームをそれぞれの各ビーム経路に沿って眼科目標物へと向けるように構成されたスキャナも含む。システムは、プロセッサと、メモリ内に記憶された命令と、をさらに含む。命令はプロセッサにより、眼科目標物の特性を、眼科目標物によりそれぞれの各ビーム経路に沿って反射され、ＯＣＴエンジンにより検出されるＯＣＴ光に基づいて特定するために実行可能である。
【０００４】
特定の実施形態において、方法は、複数のＯＣＴ結像ビームをそれぞれのビーム経路に沿って眼科目標物へと向けるステップを含み、各ビーム経路は複数の光学素子により画定され、眼科目標物の異なる視野角に対応する。方法は、ビーム経路の各々に沿って眼科目標物から反射されたＯＣＴ光を受け取るステップと、眼科目標物によりそれぞれのビーム経路に沿って反射された検出ＯＣＴ光に基づいて眼科目標物の１つ又は複数の特性を特定するステップと、をさらに含む。
【０００５】
特定の実施形態において、マルチビュー診断システムは、ビームスプリッタと眼科目標物との間に複数のビーム経路を画定する複数の光学素子を含み、各ビーム経路は眼科目標物の異なる視野角に対応する。システムはまた、ビームスプリッタと光学的に整列されたＯＣＴイメージングシステムを含む。ＯＣＴイメージングシステムは、ＯＣＴ結像ビームをそれぞれの各ビーム経路に沿って眼科目標物へと向け、眼科目標物によりそれぞれの各ビーム経路に沿って反射されたＯＣＴ光を検出するように構成される。システムは、ビームスプリッタと光学的に整列され、眼科目標物によりそれぞれの各ビーム経路に沿って反射された照明光を検出するように構成されたカメラをさらに含む。システムは、プロセッサと、メモリに記憶された命令と、をさらに含む。命令は、プロセッサにより、眼科目標物の角膜、眼房水、水晶体、又は硝子体液のうちの少なくとも１つの屈折率を検出ＯＣＴ光に基づいて特定し、眼科目標物の曲率を眼科目標物によりそれぞれの各ビーム経路に沿って反射された検出照明光に基づいて特定するために実行可能である。
【０００６】
特定の実施形態は、ある例において１つ又は複数の技術的利点を提供し得る。例えば、幾つかの例において、角膜の中央部分のより正確な曲率測定値が得られ得る。それに加えて、幾つかの例において、角膜前部及び後部の形状の測定における全体的な精度向上が得られ得る。さらに、幾つかの例において、眼科目標物の角膜、前眼房、又はその他の部分のｉｎ−ｖｉｖｏ屈折率の特定を行うことができる。この情報は、眼科目標物の実際の形状を特定するために使用でき、また、より最適な眼内レンズ（ＩＯＬ：ｉｎｔｒａｏｃｕｌａｒ  ｌｅｎｓ）のプロファイルを得るために使用できる。
【０００７】
これら及びその他の利点は、本願の図面と明細書を参照することにより当業者にとって明らかとなるであろう。
【０００８】
本開示とその利点をより完全に理解するために、ここで、添付の図面と併せて以下の説明を参照するが、図中、同様の参照番号は同様の特徴を示す。
【図面の簡単な説明】
【０００９】
【図１Ａ】例示的なマルチビュー眼科診断システムのブロック図を示す。
【図１Ｂ−１Ｃ】図１Ａの眼科診断システムにより提供される眼科目標物の異なる視点からの画像を示す。
【図２Ａ−２Ｂ】ＯＣＴ結像ビームを使って眼科目標物の屈折率を特定するための例示的なレイトレーシングプロセスに使用される、異なる入射角に応じたＯＣＴ信号の光学的遅延の違いを示す。
【図３Ａ−３Ｄ】マルチビュー眼科診断システムの例示的な構成を示す。
【図４】マルチビュー眼科診断システムを使って眼科目標物に対応する特定値を特定する例示的なプロセスを示す。
【発明を実施するための形態】
【００１０】
当業者であれば、以下に説明する図面は例示を目的としているにすぎず、出願人の開示の範囲を限定しようとしていないことがわかるであろう。
【００１１】
本開示の原理を理解しやすくするために、ここで図面に示される実施形態を参照するが、それを説明するために具体的な文言を使用する。それでも、本開示の範囲を限定することは意図されていないと理解されたい。説明されているシステム、装置、及び方法に対する変更やさらなる改良並びに本開示の原理のその他の何れの応用も、本開示が関係する分野の当業者であれば通常着想するように想定される。特に、１つの実施形態において説明されているシステム、装置、及び／又は方法は本開示の他の実施形態に関して説明されている特徴、構成要素、及び／又はステップと組み合わされてよいことが想定される。しかしながら、簡潔さを期し、これらの組合せの数多くの繰返しを別々に説明することはしない。単純にするために、幾つかの例では、図面全体を通じて、同じ又は同様の部分を説明するために同じ参照番号が使用されている。
【００１２】
図１Ａは、例示的なマルチビュー眼科診断システム１００のブロック図を示す。例示的システム１００は、ＯＣＴエンジン１０２、スキャナ１０４、カメラ１０６、ビームスプリッタ１０８、複数のビーム経路１１２を画定するミラー１１０、及び複数の照明点光源１１６を含む照明光源１１４を含む。本明細書中で説明するように、眼科診断システム１００は、眼科目標物、例えば図１Ａに示される眼科目標物１２０に関する診断のための情報を、異なるビーム経路１１２に沿って反射された光（例えば、ＯＣＴエンジンからのＯＣＴ光、照明点光源１１６からの照明光、又はそれらの両方）に基づいて特定するように構成される。眼科目標物１２０は、眼の１つ又は複数の屈折性組織、例えば角膜、眼房液、水晶体、又は硝子体液等を含んでいてよい。
【００１３】
例示的なＯＣＴエンジン１０２は、ＯＣＴ結像ビームを生成し、眼科目標物１２０により反射されたＯＣＴ光を受け取るように構成される構成要素を含む。ＯＣＴエンジン１０２は、パルスレーザ光源、干渉計、フォトディテクタ、及び１つ又は複数のその他の光学構成要素（例えば、ミラー、ビームスプリッタ等）を含んでいてよい。幾つかの例において、ＯＣＴエンジン１０２は市販のＯＣＴエンジンであってよい。例示的なスキャナ１０４は、ＯＣＴエンジン１０２からのＯＣＴ結像ビームを受け取り、このビームをシステム１００内のビーム経路１１２の１つに沿って方向付けることのできる操作可能なミラーの集合を含む。スキャナ１０４は微小電気機械システム（ＭＥＭＳ）、ミラーガルバノメータとして、又はその他の方法で実装できる。ＯＣＴエンジン１０２とスキャナ１０４は、まとめてＯＣＴイメージングシステムと呼んでもよい。幾つかのケースでは、ＯＣＴエンジン１０２とスキャナ１０４はシステム１００内の異なる装置である（例えば、図１Ａに示されているとおり）。他のケースでは、ＯＣＴエンジン１０２とスキャナ１０４は同じ装置内に格納される。
【００１４】
例示的なカメラ１０６は、照明点光源１１６により発せられ、眼科目標物１２０により反射されて異なるビーム経路１１２を通じて戻される照明光を受けるように構成される高解像度カメラである。幾つかの例において、カメラ１０６は市販のカメラであってよい。
【００１５】
図の例では、３つの異なるビーム経路１１２Ａ、１１２Ｂ、１１２Ｃがある。図１Ａに示されるように、ビーム経路１１２は眼科目標物１２０の中で収束して交差し得る。他の例は、追加の、又はより少ないビーム経路１１２を含んでいてもよい。各ビーム経路１１２はＯＣＴエンジン１０２又はカメラ１０６に眼科目標物１２０の異なる視点を提供し得る。図のように、ビーム経路１１２Ｂによれば、ＯＣＴエンジン１０２及びカメラ１０６による眼科目標物１２０の正面から見た画像（例えば、眼科目標物１２０の光軸又は視軸に対応する画像）を得ることができる。ビーム経路１１２Ａ、１１２Ｃは光学素子１１０により画定され（すなわち、ビーム経路１１２Ａは光学素子１１０Ａ、１１０Ｂにより画定され、ビーム経路１１２Ｃは光学素子１１０Ｃ、１１０Ｄにより画定される）、図のように眼科目標物１２０の側方から見た画像を提供する。図の例において、光学素子１１０は静止ミラーである。光学素子１１０は、その他の種類の光学素子を含んでいてもよい。後でさらに説明するように、眼科目標物１２０の複数の異なる視点からの画像により、眼科目標物１２０の１つ又は複数の特性をより正確に測定することが可能となり得る。
【００１６】
例示的なビームスプリッタ１０８は、入射光の一部分を透過させ、入射光の他の部分を反射するように構成された光学素子であり、入射光を分割する。例えば、図１Ａに示される例において、ビームスプリッタ１０８は、眼科目標物１２０から反射されたＯＣＴ又は照明光の一部分をＯＣＴエンジン１０２に向かって再び透過させ、反射光の他の部分をカメラ１０６に向かって反射させるように構成される。ビームスプリッタ１０８は、透明又は半透明材料（例えば、ガラス）の１つ又は複数の表面の上に堆積された膜（例えば、誘電体膜）により形成されてよい。例えば、ビームスプリッタ１０８は、誘電体コーティングミラー、金属コーティングミラー、ビームスプリッタキューブとして、又は他の方法により実装されてよい。
【００１７】
図の例において、照明光源１１４はシステム１００に連結されている。しかしながら、他の例では、照明光源１１４はシステム１００とは別であってもよい。照明光源１１４は、複数の照明点光源１１６を含む。照明点光源１１６は、ＯＣＴ結像ビーム又はその他の光がシステム１００へと、又はそこから通過できるようにする開口１１８の周囲に円形に配置できる。図の例において照明点光源は同心円状に配置される。照明点光源１１６は、発光ダイオード（ＬＥＤ）、有機ＬＥＤ（ＯＬＥＤ）、又は他の種類の可視光源として実装されてよい。
【００１８】
図の例において、眼科診断システム１００はコンピュータシステム１３０に連結され、これはプロセッサ１３２、メモリ１３４、及びインタフェース１３６を含む。例示的なプロセッサ１３２は、例えばデータ入力に基づいて出力データを生成するための命令を実行する。命令は、プログラム、コード、スクリプト、又はメモリに記憶されるその他の種類のデータを含むことができる。追加的又は代替的に、命令は、事前プログラム可能な、若しくは再プログラム可能な論理回路として、又はその他の種類のハードウェア若しくはファームウェアコンポーネントとして符号化できる。プロセッサ１３２は、専用コプロセッサ又はその他の種類のデータ処理装置としての汎用マイクロコンピュータであるか、それを含んでいてもよい。幾つかのケースで、プロセッサ１３２は、眼科目標物１２０の１つ又は複数の特性をＯＣＴエンジン１０２、カメラ１０６、又はそれらの両方により取得されるデータに基づいて特定するためのソフトウェア、スクリプト、プログラム、機能、実行可能ファイル、又はメモリ１３４の中に記憶されたその他の命令を実行又は解釈するように構成されてよい。幾つかの例では、プロセッサ１３２は複数のプロセッサを含む。
【００１９】
例示的なメモリ１３４は、１つ又は複数のコンピュータ可読媒体、例えば揮発性メモリデバイス、不揮発性メモリデバイス、又はそれらの両方を含む。メモリ１３４は、１つ又は複数のリードオンリメモリデバイス、ランダムアクセスメモリデバイス、バッファメモリデバイス、又はこれらの組合せ及びその他の種類のメモリデバイスを含むことができる。メモリ１３４は、プロセッサ１３２により実行可能な命令を記憶してよい。
【００２０】
例示的なインタフェース１３６は、パターン有効性確認システム１０８及び１つ又は複数のその他のデバイスとの間の通信を提供する。例えば、インタフェース１３６は、使用者による眼科診断システム１００との相互作用が可能となる１つ又は複数のインタフェース、例えばキーボード、マウス、タッチスクリーン、その他を含んでいてよい。
【００２１】
特定の実施形態において、コンピュータシステム１３０は、ＯＣＴエンジン１０２、カメラ１０６、又はそれらの両方からデータを取得し、このデータを処理して、眼科目標物１２０の１つ又は複数の特性を特定する。幾つかの実施形態において、コンピュータシステム１３０はＯＣＴ技術並びに第一及び第二プルキニエ像レイトレーシング技術を使って、提供される異なる視点の画像から眼科目標物１２０のすべての屈折面の曲率及び解剖学的特徴を同時に測定してよい。図１Ａに示されるようなマルチビューシステムを使用することにより、角膜の中央部分の、より正確な曲率測定が得られ得、角膜前部又は後部形状の測定における全体的に向上した精度が得られ得、角膜及び前眼房のｉｎ−ｖｉｖｏ屈折率の特定が行われ得る。例えば、複数の画像により、眼科目標物１２０の強膜又はその他の部分の３次元モデルを生成できる（１枚のみの画像で入手可能な２次元モデルと異なる）。それに加えて、複数の画像により、カメラ１０６と眼科目標物１２０との間の距離の測定が可能となる。それに加えて、複数の画像により、角膜頂点からの反射を検出できる（それに対して、単一画像システムでは検出できない）。角膜頂点の反射により、眼科目標物１２０をより完全に理解でき、角膜頂点に関する形状情報（例えば、曲率）の取得は、眼科目標物１２０をモデリングするのに有益であり得る。
【００２２】
幾つかの例において、コンピュータシステム１３０は、ＯＣＴデータに基づいて眼科目標物の３次元眼モデルを生成してよい。このモデルは、眼内レンズ（ＩＯＬ）のプロファイルを特定するレイトレーシングにおいて使用される。ＩＯＬプロファイルには、ＩＯＬのパワー及び眼科目標物内での位置が含まれていてよい。ＩＯＬプロファイルにはまた、ＩＯＬの形状、媒質、又は非点収差も含まれていてよい。
【００２３】
例えば、角膜前面での照明点光源１１６の第一プルキニエ反射を検出することにより、コンピュータシステム１３０は、角膜前面の曲率を効率的に特定できる。それに加えて、角膜後面での第二プルキニエ反射を検出することにより、コンピュータシステム１３０は角膜後面の曲率の測定値を特定できる。ＯＣＴエンジン１０２は、眼科目標物１２０の３次元仰角スキャンを実行してよい。第一及び第二プルキニエ像レイトレーシング分析とＯＣＴエンジンにより収集されるＯＣＴデータとの組合せにより、角膜の正確な情報のほか、眼科目標物１２０の深さに関する情報が得られる。照明光の反射の画像を増やすことにより、全体としての曲率の密度はＮ倍に高まり、Ｎはシステム１００により提供される異なる視点からの画像の数である。例えば、３画像構成が使用される場合（例えば、図１Ａに示されるとおり）、曲率の密度は３倍に増大する。他のマルチビュー構成は図３Ａ〜３Ｃに示されており、これについては後でさらに説明する。
【００２４】
例示的なシステム１００は、特定の実施形態において、図１Ａに示されているものに追加される、それより少ない、又はそれとは異なる構成要素を含んでいてよい。例えば、システム１００は、より少ない（例えば２つの）ビーム経路、又は追加のミラーにより画定される追加のビーム経路（例えば、図３Ｂ、３Ｃに示されるとおり）を含むことができる。他の例として、システム１００は複数のカメラを含んで眼科目標物の複数の画像を実現でき、これはビーム経路１１２を使ってカメラ１０６のための複数の画像を実現する場合と対照的である。
【００２５】
図１Ｂ及び１Ｃは、図１Ａの眼科診断システムにより提供される、眼科目標物の例示的な異なる視点からの画像である。ＯＣＴエンジン１０２により提供される異なる視点からの画像１４２、１４４、１４６は図１Ｂに示され、カメラ１０６により提供される異なる視点からの画像１５２、１５４、１５６は図１Ｃに示される。図の例において、画像１４２、１５２はビーム経路１１２Ａに関連付けられ、画像１４４、１５４はビーム経路１１２Ｂに関連付けられ、画像１４６、１５６はビーム経路１１２Ｃに関連付けられる。特定の実施形態において、画像１４２、１４４、１４６は、眼科目標物１３０の組織のうちの１つ又は複数の屈折率を特定するために使用されてよい。例えば、画像１４２、１４４、１４６は、目標物１２０のそれぞれの面が一致するように相互に整列されてもよい。画像を整列させることは、目標物１２０の組織の各々のパラメータ化によりモデルを生成することを含んでいてよく、パラメータは組織のうちの１つ又は複数の屈折率を含む。屈折率は、ベストフィット方式により特定されてよい。例えば、最小二乗法を使って、パラメータ化モデルを整列させ、目標物１２０の組織のうちの１つ又は複数の屈折率を特定できる。幾つかのケースで、画像１５２、１５４、１５６は目標物１２０のパラメータ化において使用されてよく、カメラの画像のパラメータ化は、目標物１２０の組織のうちの１つ又は複数（例えば、角膜、眼房水、水晶体、又は硝子体液）の屈折率の特定において使用されてよい。
【００２６】
図２Ａ〜２Ｂは、ＯＣＴ結像ビームを使って眼科目標物の屈折率を特定するための例示的なレイトレーシングプロセスに使用される、異なる入射角に応じたＯＣＴ信号の光学遅延の違いを示す図である。図２Ａに示される例において、光ビーム３０２及び３０４は、それぞれ異なる入射角α1及びα2で目標物質３０６に向かって透過させられ、したがって、目標物質３０６をそれぞれ異なる角度β1及びβ2で横断する（スネルの法則に基づく）。角度β1及びβ2の違いにより、ビーム３０２及び３０４は異なる距離にわたって厚さΔｘの目標物質３０６を横切り、それによって目標物質３０６内に各ビームがとどまる時間量に差が生じる。図２Ｂに示される例では、ビーム３０２、３０４両方に関して例示的なＯＣＴ信号が示されており、Δｔ1,2はそれぞれのビーム２０２、２０４に関する目標物質３０６の前面及び後面におけるＯＣＴ信号の到着時間の差を表す。初期条件がわかっている場合（すなわち、α1及びα2）、目標物質３０６の屈折率を算出できる。
【００２７】
図３Ａ〜３Ｄは、マルチビュー眼科診断システムの例示的な構成３００を示す略図である。図３Ａに示される例示的な構成３００Ａは２画像構成であり、眼科目標物の中心からずれた視点からの２つの画像が得られる。図３Ｂに示される例示的な構成は、図１Ａのシステム１００と同様の３画像構成３００Ｂであり、眼科目標物の３種類の異なる視点からの画像が得られる。図３Ｃに示される例示的な構成は、５画像構成３００Ｃであり、眼科目標物の５種類の異なる視点からの画像を含み、図３Ｄに示される例示的な構成は９画像構成３００Ｄであり、眼科目標物の９種類の異なる視点からの画像を含む。幾つかのケースで、９画像構成３００Ｄは、眼科診断システムのカメラの中に正方形に配置されたセンサにより有利であり得る。他のマルチビュー構成も実装されてよい。
【００２８】
図４は、マルチビュー眼科診断システムを使って眼科目標物に対応する測定値を特定する例示的なプロセスを示すフロー図である。例示的なプロセス４００における動作はデータ処理装置（例えば、図１Ａの例示的なコンピュータシステム１３０のプロセッサ１３２）により実行されてよい。例示的プロセス４００は、追加の、又は異なる動作を含んでいてもよく、動作は示されている順序でも、他の順序でも行われてよい。幾つかのケースで、図４に示される動作のうちの１つ又は複数は、複数の動作、サブプロセス、又はその他の種類のルーチンを含むプロセスとして実装される。幾つかのケースで、動作は組み合わされ、他の順序で行われ、平行して行われ、反復若しくはそれ以外に繰り返され、又はその他の方法で行われることができる。
【００２９】
４０２で、複数のＯＣＴ結像ビームがそれぞれのビーム経路に沿って眼科目標物に向けられる。ＯＣＴ結像ビームはＯＣＴイメージング装置、例えばＯＣＴエンジンにより生成されてよい。例えば、図１Ａを参照すると、ＯＣＴ結像ビームはＯＣＴエンジン１０２により生成されて、ビーム経路１１２の各々に沿って方向付けられてよい。幾つかのケースで、ＯＣＴ結像ビームは、それぞれの各ビーム経路に沿ってＯＣＴスキャンを行ってよい。幾つかのケースで、スキャンは逐次的に行われてよい。例えば、図１Ａを再び参照すると、ＯＣＴ結像ビームはビーム経路１１２Ａに沿った第一のＯＣＴスキャン、ビーム経路１１２Ｂに沿った第二のＯＣＴスキャン、及びビーム経路１１２Ｃに沿った第三のＯＣＴスキャンを行ってよい。ＯＣＴ結像ビームは、それぞれの各経路に沿って、１つ又は複数の操作可能ミラーを含むスキャナにより方向付けられてよい。例えば、図１Ａを再び参照すると、スキャナ１０４はＯＣＴエンジン１０２により生成されたＯＣＴ結像ビームを選択的にビーム経路１１２Ａ、１１２Ｂ、１１２Ｃのうちの１つに沿って方向付けてよい。
【００３０】
４０４で、眼科目標物により反射されたＯＣＴ光が受け取られる。反射ＯＣＴ光は初期ＯＣＴ結像ビームを透過させたＯＣＴイマジン装置（例えば、ＯＣＴエンジン）で受け取られてよい。ＯＣＴ光は４０２で透過され、眼科目標物により反射して戻されたＯＣＴ結像ビームを含んでいてよい。反射ＯＣＴ光は、初期ＯＣＴ結像ビームが伝搬したビーム経路に沿って伝搬してよい。例えば、図１Ａを参照すると、ＯＣＴエンジン１０２によりビーム経路１１２Ａに沿って透過させられたＯＣＴ結像ビームは、眼科目標物１２０により反射され、再びビーム経路１１２Ａに沿ってビームスプリッタ１０８へと伝搬してよく、これは反射ＯＣＴ光の一部分をＯＣＴエンジン１０２に向かって透過させ、そこでこれが受け取られ、検出される。
【００３１】
４０６で、眼科目標物の測定値は、受け取られたＯＣＴ光に基づいて特定される。測定値には、眼科目標物内の組織の厚さ（例えば、角膜厚さ又は水晶体厚さ）、眼科目標物内の組織（例えば、角膜、眼房水、水晶体、又は硝子体液）の屈折率、又は眼科目標物の物理的特性に関係する他の測定値が含まれていてよい。例えば、異なるビーム経路に関連付けられる眼科目標物の画像は、前述のように、各画像の眼科目標物のそれぞれの面がマッチするように整列させることができる。幾つかのケースで、画像を整列させることは、眼科目標物内の組織の各々のパラメータ化によりモデルを生成することが含まれていてもよく、パラメータは組織のうちの１つ又は複数の屈折率を含む。すると、屈折率はベストフィット方式により特定できる。例えば、最小二乗法を使って、パラメータ化モデルを整列させて、眼科目標物の組織のうちの１つ又は複数の屈折率を特定できる。
【００３２】
４０８で、照明光は眼科目標物に向かって発せられる。照明光は、ビーム経路の周囲に円形に配置された複数の照明点光源により発せられてよい。例えば、図１Ａを参照すると、照明点光源１１６は照明光を眼科目標物１２０に向かって発してよい。
【００３３】
４１０で、眼科目標物により反射された照明光が受け取られる。反射照明光は眼科診断システム内の１つ又は複数のカメラ装置により受け取られてよい。照明光は、４０８で照明光源により透過させられ、眼科目標物により反射して戻された照明光を含んでいてよい。反射照明光は、ＯＣＴ結像ビームが通ったビーム経路に沿って伝搬してよい。例えば、図１Ａを参照すると、照明点光源１１６により発せられた照明光は眼科目標物１２０により反射され、ビーム経路１１２に沿ってビームスプリッタ１０８へと戻ってよく、これは反射照明光の一部分をカメラ１０６に向かって反射させる。
【００３４】
４１２で、眼科目標物の１つ又は複数の曲率が、反射照明光に基づいて特定される。曲率は、角膜前面曲率、角膜後面曲率、又はそれらの両方を含んでいてよい。幾つかの実施形態では、角膜の前面での照明光の第一プルキニエ反射を検出することにより、角膜前面曲率を特定できる。幾つかの実施形態において、角膜後面での第二プルキニエ反射を検出することにより、角膜後面曲率を特定できる。幾つかのケースでは、角膜の中央曲率（単一画像ＯＣＴ技術を使用して検出不能であり得る）もまた、例えば、反射が角膜の中央領域の中に見える眼科目標物の、軸からずれた視点からの画像（例えば、図１Ｃの画像１５２及び１５６の中央領域のスポット参照）に基づいて角膜表面をパラメータ化することにより特定されてよい。
【００３５】
４１４で、眼科目標物のパラメータ化モデルが選択又は生成される。パラメータ化モデルは、眼科目標物の特性に関連付けられる複数のパラメータを含んでいてよい。例えば、モデルは、眼科目標物内のすべての屈折面及び各種の光学媒質（例えば、角膜、眼房液、水晶体、硝子体液、又はその他の媒質）の屈折率に関するパラメータを含んでいてよい。眼科目標物のモデルは、パラメータに基づく１つ又は複数のシミュレーションによる測定値又は曲率を提供してよい。例えば、モデルは眼科目標物の屈折率のシミュレーションによる測定値又は表面曲率を提供してよい。
【００３６】
４１６で、４１４で生成されたモデルのパラメータが、ステップ４０６及び４１２で収集された特性とデータを使って最適化される。パラメータは、４０６で特定された測定値、４１２で特定された曲率、又はそれらの両方に基づいて最適化されてよい。幾つかの実施形態において、パラメータは、観察による測定値又は曲率（４０６、４１２から）とシミュレーションによる測定値又は曲率（４１４で生成されたモデルから）との差を最小化することにより最適化されてよい。最小化は、最小二乗法を使って、又はその他の最小化手法を使って行われてよい。
【００３７】
４１８で、ＩＯＬプロファイルが４１６で特定された最適化後のパラメータに基づいて特定される。ＩＯＬプロファイルは、眼科目標物に挿入される予定のＩＯＬの１つ又は複数の特性を含んでいてよい。例えば、特定された特性は、眼の天然の水晶体を置換する白内障手術で使用される置換用ＩＯＬを選択又は製作するために使用されてよい。ＩＯＬプロファイルには、天然の眼の水晶体のそれに最も近く近似するＩＯＬのパワー又は形状が含まれていてよく、又は眼科目標物内のＩＯＬの相対位置が含まれていてもよい。ＩＯＬプロファイルにはまた、眼科目標物内のＩＯＬの媒質若しくは非点収差又はその他のＩＯＬの特性も含まれていてよい。ＩＯＬプロファイルは、４０６で特定された測定値、４１２で特定された曲率、又はそれらの組合せに基づいて特定されてよい。
【００３８】
本明細書に記載されている主旨と動作の幾つかは、デジタル電子回路構造において、又は本明細書において開示される構造及びそれらの構造的均等物を含むコンピュータソフトウェア、ファームウェア、若しくはハードウェアにおいて、又はこれらの１つ若しくは複数の組合せにおいて実装できる。本明細書に記載されている主旨の幾つかは、１つ又は複数のコンピュータプログラム、すなわち、データ処理装置により実行される、又はその動作を制御するためのコンピュータ可読記憶媒体上で符号化されたコンピュータプログラム命令の１つ又は複数のモジュールとして実装できる。コンピュータ可読記憶媒体は、コンピュータ可読記憶装置、コンピュータ可読記憶基板、ランダム若しくはシリアルアクセスメモリアレイ若しくはデバイス、又はこれらの１つ若しくは複数の組合せであるか、又はその中に含めることができる。さらに、コンピュータ可読記憶媒体は伝搬信号ではないが、コンピュータ可読記憶媒体は、人工的に生成された伝搬信号において符号化されるコンピュータプログラム命令の発信源又は送信先とすることができる。コンピュータ可読記憶媒体はまた、１つ又は複数の別々の物理的コンポーネント又は媒体（例えば、複数のＣＤ、ディスク、又はその他の記憶デバイス）であるか、又はその中に含めることができる。
【００３９】
本明細書に記載されている動作の幾つかは、１つ又は複数のコンピュータ可読記憶デバイス上に記憶された、又はその他の供給源から受信したデータに対してデータ処理装置により実行される動作として実装できる。「データ処理装置」という用語は、データ処理のためのあらゆる種類の装置、デバイス、及びマシンを包含し、これには例えばプログラム可能プロセッサ、コンピュータ、システムオンチップ、又はそれらのうちの幾つか若しくは組合せが含まれる。装置は特定用途論理回路、例えばＦＰＧＡ（ｆｉｅｌｄ  ｐｒｏｇｒａｍｍａｂｌｅ  ｇａｔｅ  ａｒｒａｙ）又はＡＳＩＣ（特定用途集積回路）を含むことができる。装置はまた、ハードウェアに加えて、問題のコンピュータプログラムのための実行環境を作るコード、例えばプロセッサファームウェア、プルトコルスタック、データベース管理システム、オペレーティングシステム、クロスプラットフォームランタイム環境、仮想マシン、又はそれらのうちの１つ若しくは複数の組合せを含むこともできる。
【００４０】
コンピュータシステムは、１つのコンピューティングデバイス又は、相互に近接して、又は概してリモートで動作し、典型的に通信ネットワークを通じて相互作用する複数のコンピュータを含んでいてよい。通信ネットワークの例には、ローカルエリアネットワーク（「ＬＡＮ」）、及びワイドエリアネットワーク（「ＷＡＮ」）、相互接続ネットワーク（例えば、インタネット）、衛星リンクを含むネットワーク、及びピアツーピアネットワーク（例えば、アドホックピアツーピアネットワーク）が含まれる。コンピュータシステムは、１つ又は複数のデータ処理装置により実行され得る１つ又は複数のコンピュータプログラムを記憶するコンピュータ可読媒体に連結された１つ又は複数のデータ処理装置及び他のコンピュータシステムと通信するための１つ又は複数のインタフェースを含んでいてよい。
【００４１】
コンピュータプログラム（プログラム、ソフトウェア、ソフトウェアアプリケーション、スクリプト、又はコードとしても知られる）は、コンパイラ型又はインタプリタ型言語、宣言型又は手続型言語を含む何れの形態のプログラミング言語で書くこともでき、また、これは独立プログラムとして、又はモジュール、コンポーネント、サブルーチン、オブジェクト、若しくはコンピュータ環境での使用に適したその他のユニットとして等、何れの形態でも展開できる。コンピュータプログラムは、ファイルシステム内のファイルに対応してもよいが、そうである必要はない。プログラムは、その他のプログラム若しくはデータを保持するファイルの一部分の中（例えば、マークアップ言語文書の中に記憶された１つ又は複数のスクリプト）、そのプログラム専用の単独ファイルの中、又は複数の相互調整されたファイル（例えば、１つ又は複数のモジュール、サブプログラム、若しくはコードの一部を記憶するファイル）の中に記憶できる。コンピュータプログラムは、１つのコンピュータ上で、又は１つのサイトにある、若しくは複数のサイトに分散されて通信ネットワークにより相互接続される複数のコンピュータ上で実行されるように展開できる。
【００４２】
本開示の実施形態は、従来のシステム及び方法の限界を克服し得る、眼科目標物に関する診断のための情報を得るためのシステムと方法を提供する。上述及びその他の特徴と機能又はそれらの代替は、本開示にしたがって他の多くの異なるシステム又はアプリケーションへと希望に応じて組み合わせてよいことがわかるであろう。また、現時点で予見不能又は予想不能な各種の代替、改善、変更、又は改良が後に当業者によって行われ得、これらの代替、変更、及び改良もまた、以下の特許請求の範囲に包含されるものであることもわかるであろう。
【図１Ａ】
2021507731.tif 000003
【図１Ｂ】
2021507731.tif 000004
【図１Ｃ】
2021507731.tif 000005
【図２Ａ−２Ｂ】
2021507731.tif 000006
【図３Ａ】
2021507731.tif 000007
【図３Ｂ】
2021507731.tif 000008
【図３Ｃ】
2021507731.tif 000009
【図３Ｄ】
2021507731.tif 000010
【図４】
2021507731.tif 000011
【国際調査報告】
2021507731.tif 000012
2021507731.tif 000013
2021507731.tif 000014
2021507731.tif 000015